(57)【要約】【課題】  波長の異なるレーザ光に対応する記録層を積層方向に複数有するハイブリッド型光ディスクにおける層間ジャンプ動作の迅速化を図る。【解決手段】  ハイブリッド型次世代ＤＶＤが装着されると（Ｓ１０２：Ｙ）、まず、赤色レーザを点灯させ、ＤＶＤ層に対するパラメータ値とリードイン情報を取得しメモリに格納する（Ｓ１０３〜Ｓ１０５）。次に、青色レーザを点灯させ、ＨＤＤＶＤ層に対するパラメータ値とリードイン情報を取得しメモリに格納する（Ｓ１０６〜Ｓ１０８）。その後、青色レーザ光を点灯させたままＨＤＤＶＤ層を再生する（Ｓ１０９）。ＤＶＤ層へのジャンプ指令があると（Ｓ１１０：Ｙ）、メモリからＤＶＤ層に対するパラメータ値を読み出し処理系に設定する（Ｓ１１１）。そして、赤色レーザに切替え（Ｓ１１２）、メモリに格納したＤＶＤ層のリードイン情報をもとにＤＶＤ層の再生を行う（Ｓ１１３、１１４）。【選択図】    図３
2006338822.tif 000002
【特許請求の範囲】
【請求項１】
波長の異なるレーザ光に対応する記録層を積層方向に複数有するハイブリッド型光ディスクを再生可能な光ディスク装置であって、
前記記録層のうち一の記録層から他の記録層に層間ジャンプするに先立って前記ジャンプ後の記録層のリードイン情報を取得するリードイン取得手段と、
前記リードイン取得手段によって取得されたリードイン情報を格納するメモリ手段と、
を有することを特徴とする光ディスク装置。
【請求項２】
請求項１に記載の光ディスク装置において、
前記リードイン取得手段は、前記ハイブリッド型光ディスクが装着された後、当該ディスクに対する初回の再生動作が開始されるまでの間に、当該初回の再生動作が行われる記録層以外の全ての記録層に対するリードイン情報の取得処理を行う、
ことを特徴とする光ディスク装置。
【請求項３】
請求項１に記載の光ディスク装置において、
前記リードイン取得手段は、前記複数の記録層のうち所定の記録層に対する動作が行われている間、当該動作に空き時間が生じるかを監視し、空き時間が生じたとき、当該所定の記録層以外の他の記録層に対してリードイン情報の取得処理を行う、
ことを特徴とする光ディスク装置。
【請求項４】
請求項１ないし３の何れか一項に記載の光ディスク装置において、
前記リードイン取得手段にてリードイン情報を取得する際、前記ジャンプ後の記録層に対応する波長のレーザ光を照射して処理に必要な所定のパラメータ値を取得し、前記メモリ手段に格納するパラメータ取得手段と、
前記一の記録層から他の記録層に層間ジャンプするとき前記メモリ手段からジャンプ後の記録層に対するパラメータ値を読み出して処理系に設定するパラメータ設定手段と、
を有することを特徴とする光ディスク装置。
【発明の詳細な説明】
【技術分野】
【０００１】
本発明は、波長の異なるレーザ光に対応する記録層を積層方向に複数有するハイブリッド型光ディスクを再生可能な光ディスク装置に関するものである。
【背景技術】
【０００２】
現在、波長４０５ｎｍ程度の青色レーザ光を用いた次世代ＤＶＤ（Digital Versatile Disc）の規格化が進められている。かかる規格化においては、青色レーザ光に対応する記録層（以下、ＨＤＤＶＤ層という）と、赤色レーザ光に対応する記録層（以下、ＤＶＤ層という）の２つの記録層を積層方向に配することが検討されている。さらに、３層以上の記録層が配される可能性もある。
【０００３】
なお、以下の特許文献１には、同一波長の２つの記録層を有する光ディスクとそのドライブ装置が紹介されている。
【特許文献１】特開２００３−３４６３４８号公報
【発明の開示】
【発明が解決しようとする課題】
【０００４】
かかるハイブリッド型の次世代ＤＶＤでは、それぞれの記録層に個別にリードイン情報が記録されている。このため、各記録層に対する動作を行う際には、リードイン情報を記録層毎に個別に取得する必要がある。
【０００５】
しかし、一の記録層から他の記録層に層間ジャンプする際に、ジャンプ後の記録層に対応するリードイン情報をその都度取得すると、当該取得処理に時間が費やされ、迅速な処理動作が阻害される。最悪の場合、一の記録層から他の記録層に対するストリーム動作の一連性が寸断されてしまう惧れもある。
【０００６】
そこで、本発明は、この種のハイブリッド型光ディスクにおける層間ジャンプを迅速に行い得る光ディスク装置を提供することを課題とする。
【課題を解決するための手段】
【０００７】
上記課題に鑑み本発明は、それぞれ以下の特徴を有する。
【０００８】
請求項１の発明は、波長の異なるレーザ光に対応する記録層を積層方向に複数有するハイブリッド型光ディスクを再生可能な光ディスク装置であって、前記記録層のうち一の記録層から他の記録層に層間ジャンプするに先立って前記ジャンプ後の記録層のリードイン情報を取得するリードイン取得手段と、前記リードイン取得手段によって取得されたリードイン情報を格納するメモリ手段とを有することを特徴とする。
【０００９】
請求項２の発明は、請求項１に記載の光ディスク装置において、前記リードイン取得手段は、前記ハイブリッド型光ディスクが装着された後、当該ディスクに対する初回の再生動作が開始されるまでの間に、当該初回の再生動作が行われる記録層以外の全ての記録層に対するリードイン情報の取得処理を行うことを特徴とする。
【００１０】
請求項３の発明は、請求項１に記載の光ディスク装置において、前記リードイン取得手段は、前記複数の記録層のうち所定の記録層に対する動作が行われている間、当該動作に空き時間が生じるかを監視し、空き時間が生じたとき、当該所定の記録層以外の他の記録層に対してリードイン情報の取得処理を行うことを特徴とする。
【００１１】
請求項４の発明は、請求項１ないし３の何れか一項に記載の光ディスク装置において、前記リードイン取得手段にてリードイン情報を取得する際、前記ジャンプ後の記録層に対応する波長のレーザ光を照射して処理に必要な所定のパラメータ値を取得し、前記メモリ手段に格納するパラメータ取得手段と、前記一の記録層から他の記録層に層間ジャンプするとき前記メモリ手段からジャンプ後の記録層に対するパラメータ値を読み出して処理系に設定するパラメータ設定手段とを有することを特徴とする。
【発明の効果】
【００１２】
本発明によれば、他の記録層に層間ジャンプするに先立って、ジャンプ後の記録層に対応するリードイン情報が取得される。そして、当該ジャンプの際には、メモリ手段に格納されたリードイン情報が参照される。したがって、本発明によれば、当該ジャンプ時に、ジャンプ後の記録層に対するリードイン情報の取得処理を行う必要がなく、よって、当該ジャンプ後の動作を迅速に行うことができる。このため、層間ジャンプ時にストリーム動作の一連性が寸断されるようなことはなく、円滑な動作を実現できる。
【００１３】
なお、請求項２の発明によれば、初回の処理が行われる記録層以外の全ての記録層に対するリードイン情報が予めメモリ手段に格納される。このため、何れの記録層にジャンプする際にも対応するリードイン情報をメモリ手段から取得することができる。よって、何れの記録層にジャンプする際にも、処理の迅速化を図ることができる。
【００１４】
また、請求項３の発明によれば、所定の記録層に対する動作に空き時間が生じたときに、これを利用して、当該所定の記録層以外の他の記録層に対するリードイン情報の取得処理が行われる。このため、各記録層に対するリードイン情報取得処理の効率化を図ることができる。
【００１５】
さらに、請求項４の発明によれば、リードイン情報の取得時に、リードイン情報の他、ジャンプ後の記録層に対応するパラメータ値が取得され、メモリ手段に格納される。そして、当該ジャンプの際には、メモリ手段に格納されたパラメータ値がメモリ手段から読み出され、処理系に設定される。したがって、請求項４の発明によれば、当該ジャンプ時に、ジャンプ後の記録層に対するパラメータの取得処理をも省略することができ、よって、当該ジャンプ後の動作をさらに迅速化させることができる。
【００１６】
本発明の特徴ないし効果は、以下に示す実施形態の説明によって更に明らかとなろう。ただし、以下の実施形態は、あくまでも、本発明の一つの実施形態であって、本発明ないし各構成要件の用語の意義は、以下の実施の形態に記載されたものに制限されるものではない。
【発明を実施するための最良の形態】
【００１７】
以下、本発明の実施形態につき図面を参照して説明する。
【００１８】
なお、本実施形態は、ＤＶＤ層と次世代ＤＶＤ層が厚み方向に１層ずつ配された上述のハイブリッド型次世代ＤＶＤの他、既存のＤＶＤおよびＨＤＤＶＤに対応し得る互換型の光ディスク装置に本発明を適用したものである。
【００１９】
図１に、ハイブリッド型の次世代ＤＶＤ（再生専用タイプ）の構造を示す。
【００２０】
ハイブリッド型次世代ＤＶＤ１は、片面にＨＤＤＶＤ層（第１の記録層）１２が形成された基板１１と、片面にＤＶＤ層（第２の記録層）１４が形成された基板１３を、接着層１５によって貼り合わせ、さらに基板１１の反対側の面に印刷層１６を形成した構造となっている。レーザ光は、基板１３側から入射される。ＨＤＤＶＤ層１２とＤＶＤ層１４には螺旋状にピット列が形成されている。
【００２１】
ＤＶＤ層１４のデータフォーマットは既存ＤＶＤのデータフォーマットと同一である。ＤＶＤ層１４のリードイン情報には、ＨＤＤＶＤ層１２が存在することを示す情報は含まれていない。ＤＶＤ層１４は、波長４０５ｎｍ程度の青色レーザ光と波長６５５ｎｍ程度の赤色レーザ光をそれぞれ規定された割合にて透過および反射する。
【００２２】
ＨＤＤＶＤ層１２には、次世代ＤＶＤ規格に従うデータフォーマットが適用されている。ＨＤＤＶＤ層１２のリードイン情報にも、ＤＶＤ層１４が存在することを示す情報は含まれていない。ＨＤＤＶＤ層１４は、青色レーザ光を規定された反射率にて反射するが、赤色レーザ光はほぼ全透過するような材料にて形成されている。
【００２３】
図２に、本実施形態に係る光ディスク装置の構成を示す。なお、同図には、再生系に関するブロックのみが示されている。
【００２４】
光ディスク装置は、光ピックアップ１０１と、信号生成回路１０２と、サーボ回路１０３と、レーザ駆動回路１０４と、復調回路１０５と、コントローラ１０６と、スピンドルモータ１０７と、メモリ１０８を備えている。
【００２５】
光ピックアップ１０１は、波長４０５ｎｍ程度の青色レーザ光と波長６５５ｎｍ程度の赤色レーザ光を出射する半導体レーザと、これらレーザ光をディスク上に収束するための対物レンズと、対物レンズをフォーカス方向およびトラッキング方向に駆動する対物レンズアクチュエータと、ディスクからの反射光を受光する光検出器と、半導体レーザからのレーザ光を対物レンズに導くとともにディスクからの反射光を光検出器に導く光学系を備えている。
【００２６】
信号生成回路１０２は、光ピックアップ１０１に配された光検出器からの信号を演算処理してＲＦ信号、フォーカスエラー信号、トラッキングエラー信号等の各種信号を生成し、これらを対応する回路に出力する。
【００２７】
サーボ回路１０３は、信号生成回路１０２から入力された信号をもとに、フォーカスサーボ信号およびトラッキングサーボ信号を生成し、光ピックアップ１０１の対物レンズアクチュエータに出力する。また、信号生成回路１０２から入力された信号をもとにモータサーボ信号を生成しスピンドルモータ１０７に出力する。
【００２８】
ここで、サーボ回路１０３は、信号生成回路１０２から入力された信号をもとにサーボ系のパラメータ値（フォーカスサーボ信号およびトラッキングサーボ信号のゲイン値やオフセット値、等）を取得し、これを当該ディスクに対するパラメータ値として設定する。同時に、取得したパラメータ値をコントローラ１０６に出力する。コントローラ１０６は、入力されたパラメータ値をメモリ１０８に格納する。
【００２９】
レーザ駆動回路１０４は、コントローラ１０６から入力される制御信号をもとに、光ピックアップ１０１内の半導体レーザに駆動信号を出力する。かかる制御により、青色レーザ光の発光と、赤色レーザ光の発光が適宜切り替えられる。
【００３０】
復調回路１０５は、信号生成回路１０２から入力されたＲＦ信号を復調して再生データを生成し後段回路に出力する。復調回路１０５は、ＤＶＤデータフォーマットに従ってデータ復調を行う復調部（ＤＶＤデコーダ）と、次世代ＤＶＤデータフォーマットに従ってデータ復調を行う復調部（ＨＤＤＶＤデコーダ）を備えている。何れの復調部を用いるかは、コントローラ１０６からの制御信号をもとに設定される。
【００３１】
なお、復調回路１０５の各復調部は、信号生成回路１０２から入力されたＲＦ信号をもとに復調系のパラメータ値（ＲＦ信号のゲイン値やオフセット値、等）を取得し、これを当該ディスクに対するパラメータ値として設定する。同時に、取得したパラメータ値をコントローラ１０６に出力する。コントローラ１０６は、入力されたパラメータ値をメモリ１０８に格納する。
【００３２】
コントローラ１０６は、メモリ１０８に各種データを格納するとともに、あらかじめ設定されたプログラムに従って、各部を制御する。
【００３３】
図３に、ディスク再生時の処理フローチャートを示す。
【００３４】
処理が開始されると、まず、装着されたディスクに対するディスク判別が行われる（Ｓ１０１）。かかるディスク判別は、たとえば、当該ディスクに対して赤色レーザ光と青色レーザ光を順次照射しながら各層に対する引き込みと読み取り可否の判別を行い、その結果から、当該ディスクに含まれるＤＶＤ層とＨＤＤＶＤ層の層数を検出することによって行われる。
【００３５】
かかるディスク判別にて、装着されたディスクがハイブリッド型次世代ＤＶＤでないと判別されると（Ｓ１０２：Ｎ）、判別結果に応じたディスクの再生処理が行われる。一方、装着されたディスクがハイブリッド型次世代ＤＶＤであると判別されると（Ｓ１０２：Ｙ）、まず、赤色レーザが点灯され（Ｓ１０３）、ＤＶＤ層１４に対する引き込み動作が行われる（Ｓ１０４）。そして、かかる引き込み動作の際に、ＤＶＤ層１４に対するサーボ系のパラメータ値（フォーカスサーボ信号およびトラッキングサーボ信号のゲイン値やオフセット値、等）と復調系のパラメータ値（ＲＦ信号のゲイン値やオフセット値、等）が取得され、これらが、メモリ１０８内のＤＶＤパラメータ格納領域に格納される。さらに、ＤＶＤ層１４のリードイン情報が読み取られ、メモリ１０８内のＤＶＤリードイン格納領域に格納される（Ｓ１０５）。
【００３６】
しかして、ＤＶＤ層１４に対するパラメータ値とリードイン情報がメモリ１０８内に格納されると、点灯レーザが赤色レーザから青色レーザに切り替えられ（Ｓ１０６）、ＨＤＤＶＤ層１２に対する引き込み動作が行われる（Ｓ１０７）。かかる引き込み動作の際に、ＨＤＤＶＤ層１２に対するサーボ系のパラメータ値（フォーカスサーボ信号およびトラッキングサーボ信号のゲイン値やオフセット値、等）と復調系のパラメータ値（ＲＦ信号のゲイン値やオフセット値、等）が取得され、これらが、サーボ回路１０３および復調回路１０５のＨＤＤＶＤデコーダに設定される。同時に、メモリ１０８内のＨＤＤＶＤパラメータ格納領域に格納される。さらに、引き続き、ＨＤＤＶＤ層１２のリードインが読み取られてメモリ１０８に格納される（Ｓ１０８）。そして、再生指令に応じてＨＤＤＶＤ層１２に対する再生処理が開始される（Ｓ１０９）。
【００３７】
ＨＤＤＶＤ層１２に対する再生動作は、その後、再生終了指令があるか、あるいは、ＤＶＤ層１４へのジャンプ指令があるまで継続される。
【００３８】
その後、ＤＶＤ層１４へのジャンプ指令があると（Ｓ１１０：Ｙ）、Ｓ１０５にて取得されたＤＶＤ層に対するパラメータ値がメモリ１０８から読み出され、サーボ回路１０３および復調回路１０５のＤＶＤデコーダに設定される。また、Ｓ１０５にてメモリ１０８に格納されたＤＶＤ層のリードイン情報が参照される（Ｓ１１１）。そして、点灯レーザが青色レーザから赤色レーザに切り替えられ（Ｓ１１２）、ＤＶＤ層１４に対する引き込み動作が行われる（Ｓ１１３）。しかして、ＤＶＤ層１４に対する引き込みが行われると、Ｓ１１１にて参照したリードイン情報をもとに、指令に応じた再生処理が開始される（Ｓ１１４）。
【００３９】
ＤＶＤ層１４に対する再生動作は、その後、再生終了指令があるか、あるいは、ＨＤＤＶＤ層１２へのジャンプ指令があるまで継続される。
【００４０】
その後、再び、ＨＤＤＶＤ層１２へのジャンプ指令があると（Ｓ１１５：Ｙ）、Ｓ１０８にて取得されたＨＤＤＶＤ層１２に対するパラメータ値がメモリ１０８から読み出され、サーボ回路１０３および復調回路１０５のＨＤＤＶＤデコーダに設定される。また、Ｓ１０８にてメモリに格納されたＨＤＤＶＤ層のリードイン情報が参照される（Ｓ１１６）。そして、点灯レーザが赤色レーザから青色レーザに切り替えられた後（Ｓ１１７）、ＨＤＤＶＤ層１２に対する引き込み動作が行われる（Ｓ１１８）。しかして、ＨＤＤＶＤ層１２に対する引き込みが行われると、Ｓ１１６にて参照したリードイン情報をもとに、指令に応じた再生処理が開始される（Ｓ１０９）。
【００４１】
以下、同様にして、ＨＤＤＶＤ層１２とＤＶＤ層１４間を相互にジャンプしながら、再生動作が行われる。そして、再生終了指令があると、再生動作が終了される。メモリ１０８に格納されたパラメータ値とリードイン情報は、ディスクがイジェクトされるまでメモリ１０８内に保持される。
【００４２】
本実施の形態によれば、予め、ＤＶＤ層１４に対するパラメータ値とリードイン情報がメモリ１０８に格納されているため、ＨＤＤＶＤ層１２からＤＶＤ層１２へのジャンプ時にＤＶＤ層１４に対するリードイン情報とパラメータ値の取得処理を行う必要がなく、よって、ＨＤＤＶＤ層１２からＤＶＤ層１２へのジャンプ動作を迅速に行うことができる。
【００４３】
なお、図３の処理フローチャートは、ＨＤＤＶＤ層１２に対する再生処理をＤＶＤ層１４に優先して行う場合のものである。すなわち、ハイブリッド型次世代ＤＶＤの装着時には、まず、ＨＤＤＶＤ層１２の再生処理を行い、その後のジャンプ指令に応じてＤＶＤ層１４を再生する場合のものである。ＤＶＤ層１４に対する再生処理をＨＤＤＶＤ層１２に優先して行う場合には、ＨＤＤＶＤ層１２に対する処理とＤＶＤ層１４に対する処理が相互に入れ替えられるよう、図３の各ステップの処理が変更される。
【００４４】
また、図３の処理フローチャートでは、ＨＤＤＶＤ層１２に対する再生動作（Ｓ１０９）に先立って、ＤＶＤ層１４に対するリードイン情報とパラメータ値の取得・格納処理（Ｓ１０３〜Ｓ１０５）を行うようにしたが、ＤＶＤ層１４に対するパラメータ値とリードイン情報の取得・格納処理を行うことなくＨＤＤＶＤ層１２に対する再生動作を行い、ＤＶＤ層１４に対するパラメータ値とリードイン情報の取得・格納処理は、ＨＤＤＶＤ層１２に対する再生処理の空き時間（再生データをバッファするバッファメモリが飽和した際の間欠待機時間、等）を利用して行うようにしても良い。
【００４５】
図４に、かかる場合の処理フローチャートを示す。
【００４６】
本処理フローチャートでは、図３に比べ、Ｓ１０３〜Ｓ１０５が削除され、代わりにＳ１２０〜Ｓ１２４の処理ステップが追加されている。その他の処理ステップは、図３の場合と同様である。
【００４７】
Ｓ１０２にて、装着されたディスクがハイブリッド型次世代ＤＶＤであると判別されると、青色レーザが点灯され（Ｓ１０６）、ＨＤＤＶＤ層１２に対する引き込み動作が行われる（Ｓ１０７）。かかる引き込み動作の際に、ＨＤＤＶＤ層１２に対するサーボ系のパラメータ値（フォーカスサーボ信号およびトラッキングサーボ信号のゲイン値やオフセット値、等）と復調系のパラメータ値（ＲＦ信号のゲイン値やオフセット値、等）が取得され、これらが、サーボ回路１０３および復調回路１０５のＨＤＤＶＤデコーダに設定される。同時に、メモリ１０８内のＨＤＤＶＤパラメータ格納領域に格納される。さらに、引き続き、ＨＤＤＶＤ層１２のリードインが読み取られてメモリ１０８に格納される（Ｓ１０８）。そして、再生指令に応じてＨＤＤＶＤ層１２に対する再生処理が開始される（Ｓ１０９）。
【００４８】
ＨＤＤＶＤ層１２に対する再生動作は、その後、再生終了指令があるか、あるいは、ＤＶＤ層１４へのジャンプ指令があるまで（Ｓ１１０：Ｙ）継続される。その間、ＨＤＤＶＤ層１２に対する再生動作に空き時間があるかが逐次判別され（Ｓ１２０）、空き時間があれば（Ｓ１２０：Ｙ）、ＤＶＤ層１４に対するパラメータ値とリードイン情報の取得・格納処理が終了しているかが判別される（Ｓ１２１）。そして、この処理が終了していなければ（Ｓ１２１：Ｎ）、点灯レーザが青色レーザから赤色レーザに切り替えられ、ＤＶＤ層１４に対するパラメータ値とリードイン情報の取得・格納処理が行われる（Ｓ１２２）。かかる処理は、図３のＳ１０３〜Ｓ１０５と同様にして行われる。しかして、ＤＶＤ層１４に対するパラメータ値とリードイン情報の取得・格納処理が終了すると、再び、点灯レーザが赤色レーザから青色レーザに切り替えられ、ＨＤＤＶＤ層１２の再生動作に復帰する（Ｓ１０９）。
【００４９】
ＨＤＤＶＤ層１２に対する再生動作中にＤＶＤ層１４へのジャンプ指令があると（Ｓ１１０：Ｙ）、ＤＶＤ層１４に対するパラメータ値とリードイン情報の取得・格納処理が終了しているかが判別される（Ｓ１２３）。そして、この処理が終了していなければ（Ｓ１２３：Ｎ）、点灯レーザが青色レーザから赤色レーザに切り替えられた後、ＤＶＤ層１４に対するパラメータ値とリードイン情報の取得・格納処理が行われる（Ｓ１２４）。かかる処理は、図３のＳ１０３〜Ｓ１０５と同様にして行われる。しかして、ＤＶＤ層１４に対するパラメータ値とリードイン情報の取得・格納処理が行われた後、再生指令に応じたＤＶＤ層１４の再生動作が開始される（Ｓ１１４）。
【００５０】
ＤＶＤ層１４へのジャンプ指令時に、ＤＶＤ層１４に対するパラメータ値とリードイン情報の取得・格納処理が終了していれば（Ｓ１２３：Ｙ）、図３の場合と同様、ＤＶＤ層に対するパラメータ値がメモリ１０８から読み出され、サーボ回路１０３および復調回路１０５のＤＶＤデコーダに設定される。さらに、メモリ１０８に格納されているリードイン情報が参照される（Ｓ１１１）。そして、点灯レーザが青色レーザから赤色レーザに切り替えられ（Ｓ１１２）、ＤＶＤ層１４に対する引き込み動作が行われる（Ｓ１１３）。しかして、ＤＶＤ層１４に対する引き込みが行われると、Ｓ１１１にて参照したリードイン情報をもとに、指令に応じた再生処理が開始される（Ｓ１１４）。
【００５１】
以下、図３の場合と同様にして、ＤＶＤ層１４とＨＤＤＶＤ層１２間を相互にジャンプしながら、再生動作が行われる。そして、再生終了指令があると、再生動作が終了される。メモリ１０８に格納されたパラメータ値とリードイン情報は、ディスクがイジェクトされるまでメモリ１０８内に保持される。
【００５２】
図４の処理フローチャートによれば、ＨＤＤＶＤ層１２に対する再生動作に先立ってＤＶＤ層１４に対するパラメータ値とリードイン情報の取得・格納処理を行わないため、ディスク装着からＨＤＤＶＤ層１２の再生開始までに要する時間を短縮化することができる。また、ＨＤＤＶＤ層１２に対する再生動作の空き時間を利用してＤＶＤ層１４に対するパラメータ値とリードイン情報の取得・格納処理が行われるため、ＨＤＤＶＤ層１２に対する再生動作に支障を与えることなく円滑に、ＤＶＤ層１４に対するパラメータ値の取得・格納処理を行うことができる。
【００５３】
ただし、ＤＶＤ層１４に対する最初のジャンプ時までに、ＤＶＤ層１４に対するパラメータ値とリードイン情報の取得・格納処理を行うに十分な空き時間がない場合には、かかるＤＶＤ層１４へのジャンプ時に、ＤＶＤ層１４に対するパラメータ値とリードイン情報の取得・格納処理が行われることとなる。かかる場合には、図３の場合に比べ、かかる取得・格納処理に要する時間だけ、ジャンプ後から再生開始までの時間が長くなる。
【００５４】
以上、本発明に係る実施の形態について説明したが、本発明は、上記実施の形態に限定されるものではなく、他に種々の変更が可能である。
【００５５】
たとえば、上記実施の形態では、メモリ１０８に格納したパラメータ値を各層の再生時にそのまま用いるものとしたが、これに代えて、メモリ１０８に格納したパラメータ値を各層の再生時におけるパラメータのイニシャル値として用いながら、その後の修正処理にて適正なパラメータ値を取得・設定するようにしても良い。
【００５６】
なお、上記実施の形態では、ディスク上におけるパラメータ値の取得位置は特に特定していないが、引き続きリードイン情報の取得を行う関係から、パラメータ値の取得はリードイン近傍にて行うのが好ましい。ただし、パラメータ値の取得位置はこれに限定されるものではなく、さらには、ディスク径上の数箇所において取得・格納するようにしても良い。そして、再生時には、ジャンプ後の位置に最も近い位置にて取得したパラメータ値を用いるようにしても良い。こうすると、設定されるパラメータ値とジャンプ後の位置におけるパラメータの最適値との間のズレを抑制することができる。
【００５７】
また、上記実施の形態では、ＨＤＤＶＤ層とＤＶＤ層を１層ずつ有するハイブリッド型ディスクを再生する光ディスク装置を示したが、本発明は、ＨＤＤＶＤ層とＤＶＤ層に限らず、異なる波長のレーザ光に対応した複数の記録層が層方向に配置されたハイブリッド型ディスクを再生する光ディスク装置に適用可能なものである。
【００５８】
なお、各波長に対応した記録層の層数は１層ずつに限らず、複数層ずつ配置されるものであってもよい。この場合、リードイン情報の取得・格納処理は、リードイン情報を保持する記録層に対して行われる。また、パラメータ値の取得・格納処理は、リードイン情報の取得・格納処理の際に併せて行われる。この場合、対応波長が同一の記録層に対しては、重ねて、パラメータ値の取得・格納を行わないようにしても良い。すなわち、対応波長が同一の記録層が複数配され、且つ、これら記録層に個別にリードイン情報が記録されている場合には、パラメータ値の取得・格納処理は、これら記録層のうち何れか一つの記録層に対するリードイン情報の取得・格納処理時においてのみ行うようにしても良い。そして、これにより取得したパラメータ値を他の同一波長の記録層に対するパラメータ値として使用するようにしても良い。
【００５９】
なお、上記実施の形態では、層間ジャンプに先立ってパラメータ値の取得・格納処理とリードイン情報の取得・格納処理の両方を行うようにしたが、たとえば、リードイン情報の取得・格納処理のみを層間ジャンプに先立って行い、パラメータ値の取得処理は、層間ジャンプの都度行うようにすることもできる。但し、こうすると、ジャンプの際にパラメータ値の取得処理を行う分、再生動作に移行するまでの時間が長くなる。
【００６０】
また、ＨＤＤＶＤ層１２のリードイン情報にＤＶＤ層１４が存在することを示す情報を含むようにすれば、ＨＤＤＶＤ層のリードイン情報に基づいてハイブリッドディスクであることを認識することができる。
【００６１】
さらに、本実施例では、ＲＯＭ（再生専用タイプ）のディスクについて説明したが、Ｒタイプ（追記型）やＲＷタイプ（書き換え型）のディスクに応用することも可能であり、対応する波長の違う２層以上の記録層と２つ以上のリードイン情報を持ったハイブリッドディスクに対応した光ディスク装置に適用することが可能である。
【００６２】
この他、本発明は、特許請求の範囲に示された技術的思想の範囲内において、適宜、種々の変更が可能である。
【図面の簡単な説明】
【００６３】
【図１】実施の形態に係る光ディスクの構成を示す図
【図２】実施の形態に係る光ディスク装置の構成を示す図
【図３】実施の形態に係るディスク判別時の処理フローチャート
【図４】実施の形態に係るディスク判別時の処理フローチャートの変更例
【符号の説明】
【００６４】
１０１  光ピックアップ
１０２  信号生成回路
１０３  サーボ回路
１０４  レーザ駆動回路
１０５  復調回路
１０６  コントローラ
１０８  メモリ
【図１】
2006338822.tif 000003
【図２】
2006338822.tif 000004
【図３】
2006338822.tif 000005
【図４】
2006338822.tif 000006